(57)【特許請求の範囲】
【請求項１】
レンズを所定位置に保持するレンズ保持枠であって、環状形枠本体と、前記レンズに外接するように前記環状形枠本体によって片持ち梁の態様で支持された少なくとも２つの弾性変形可能なレンズ保持アーム手段と、前記レンズの保持位置を規定するために該レンズの周囲縁部に当接するように前記環状形枠本体の内側周囲に沿って設けられた位置決め当接手段とを具備して成るレンズ保持枠において、
前記レンズが円形とされ、前記各レンズ保持アーム手段が該レンズと実質的に同じ直径を持つ円に外接させられ、
前記各レンズ保持アーム手段は、前記環状形枠本体の中心軸線に対して平行に延びる第１のアーム部と、この第１のアーム部から前記円の円弧に沿って一体的に延びる第２のアーム部と、前記第２のアーム部において前記環状形枠本体に対して自由である先端に一体成形され、前記円の内側に侵入するように突出する突起部とを備え、
前記位置決め当接手段と前記突起部との間のスペースには前記レンズの周囲縁部を受け入れ得るような寸法形状が与えられ、前記突起部にはテーパ面が形成され、このテーパ面には、そこに前記レンズの周囲縁部を係合させて該レンズを前記位置決め当接手段に向けて押し込んだ際に前記各レンズ保持アーム手段が弾性的に押し広げられて該レンズの周囲縁部が前記突起部を乗り越え得るような形状が与えられることを特徴とするレンズ保持枠。
【請求項２】
請求項１に記載のレンズ保持枠において、前記環状形枠本体にはそれを適当なレンズ鏡筒に接続するための接続部が設けられることを特徴とするレンズ保持枠。
【請求項３】
請求項１に記載のレンズ保持枠において、前記環状形枠本体が適当なレンズ鏡筒の一部分として一体成形されることを特徴とするレンズ保持枠。
【請求項４】
請求項１に記載のレンズ保持枠において、前記環状形枠本体が適当な合成樹脂材料から形成されかつ前記レンズの直径に実質的に等しい内径を持つスリーブ状部材として構成され、前記各レンズ保持アーム手段が前記スリーブ状部材の周囲壁部中に一体成形されることを特徴とするレンズ保持枠。
【請求項５】
請求項４に記載のレンズ保持枠において、前記位置決め当接手段が前記スリーブ状部材の内周壁面からその周囲に沿って一体的に突出した環状リム部に形成された環状当接端面から成ることを特徴とするレンズ保持枠。
【請求項６】
請求項４に記載のレンズ保持枠において、前記位置決め当接手段が前記スリーブ状部材の内周壁面からその周囲に沿って等間隔に一体的に突出した少なくとも２つの弧状リム部にそれぞれ形成された弧状当接端面から成ることを特徴とするレンズ保持枠。
【請求項７】
請求項１から６までのいずれか１項に記載のレンズ保持枠において、前記環状形枠本体が適当な合成樹脂材料から形成されかつ前記レンズの直径よりも大きな外径を持つ環状ディスク板部材として構成され、前記レンズ保持アーム手段が前記環状ディスク板部材の一方の端面側からその中心軸線に対して平行に一体的に延在させられることを特徴とするレンズ保持枠。
【請求項８】
請求項７に記載のレンズ保持枠において、前記位置決め当接手段が前記環状ディスク板部材の前記一方の端面側にその周囲に沿って形成された環状当接端面から成ることを特徴とするレンズ保持枠。
【請求項９】
請求項７に記載のレンズ保持枠において、前記位置決め当接手段が前記環状ディスク板部材の前記一方の端面側にその周囲に沿って等間隔に形成された少なくとも２つの弧状当接端面から成ることを特徴とするレンズ保持枠。
【発明の詳細な説明】
【０００１】
【発明の属する技術分野】
本発明は少なくとも一枚のレンズ要素から成るレンズを所定位置に保持するレンズ保持枠に関する。
【０００２】
【従来の技術】
広く知られたレンズ保持枠の一般的な構成では、レンズ保持枠本体として、レンズの直径に実質的に等しい内径を持つレンズ保持筒が使用される。レンズ保持筒の一方の端面側にはその周囲に沿って半径方向内側に突出した環状リム部が形成され、この環状リム部の環状端面はレンズ当接面として機能する。即ち、レンズがレンズ保持筒の他方側の端面開口からその中に投入されると、該レンズの周囲縁がレンズ当接面と当接し、これにより該レンズ保持筒内でのレンズの位置決めが行われる。
【０００３】
一方、レンズ保持筒の内側壁面には雌ねじが切られ、そこにはレンズ押え環が螺着されるようになっている。即ち、レンズ保持筒内にレンズが投入されてそのレンズ当接面に当接させらた後にレンズ押え環を螺着させることにより、レンズ保持筒内にはレンズが所定位置に保持される。
【０００４】
【発明が解決しようとする課題】
以上の記載から明らかなように、従来では、レンズ保持枠はレンズ保持筒とレンズ押え環との２つの部品から成り、それぞれの部品にねじ切り加工を施すことが必要であり、このため従来のレンズ保持枠の製造コストは比較的高く付くものとなる。また、レンズ保持枠にレンズを組み付ける作業には、レンズ保持筒にレンズ押え環を螺着する作業が伴い、このような螺着作業は比較的時間の掛かる作業であり、レンズ組付効率の面で劣ったものとなる。
【０００５】
従って、本発明の目的は、比較的低コストで製造し得る単一部品から成るレンズ保持枠であって、レンズの組付効率に優れたレンズ保持枠を提供することである。
【０００６】
【課題を解決するための手段】
本発明によるレンズ保持枠はレンズを所定位置に保持するために使用されるものであって、環状形枠本体と、レンズに外接するように環状形枠本体によって片持ち梁の態様で支持された少なくとも２つの弾性変形可能なレンズ保持アーム手段と、レンズの保持位置を規定するために該レンズの周囲縁部に当接するように環状形枠本体の内側周囲に沿って設けられた位置決め当接手段とを具備して成るものである。レンズは円形とされ、本発明によれば、レンズ保持アーム手段が該レンズと実質的に同じ直径を持つ円に外接させられ、各レンズ保持アーム手段は、環状形枠本体の中心軸線に対して平行に延びる第１のアーム部と、この第１のアーム部から円の円弧に沿って一体的に延びる第２のアーム部と、第２のアーム部において環状形枠本体に対して自由である先端に一体成形され、円の内側に侵入するように突出する突起部とを備える。位置決め当接手段と突起部との間のスペースにはレンズの周囲縁部を受け入れ得るような寸法形状が与えられる。また、該突起部にはテーパ面が形成され、このテーパ面には、そこにレンズの周囲縁部を係合させて該レンズを位置決め当接手段に向けて押し込んだ際にレンズ保持アーム手段が弾性的に押し広げられて該レンズの周囲縁部が突起部を乗り越え得るような形状が与えられる。
【０００７】
環状形枠本体にはそれを適当なレンズ鏡筒に接続するための接続部が設けられ得る。一方、環状形枠本体については適当なレンズ鏡筒の一部分として一体成形されてもよい。
【０００９】
本発明の一局面にあっては、環状形枠本体については、適当な合成樹脂材料から形成されかつレンズの直径に実質的に等しい内径を持つスリーブ状部材として構成され、このレンズ保持アーム手段はスリーブ状部材の周囲壁部中に一体成形される。この場合には、位置決め当接手段はスリーブ状部材の内周壁面からその周囲に沿って一体的に突出した環状リム部に形成された環状当接端面として構成されてもよいし、或いはスリーブ状部材の内周壁面からその周囲に沿って等間隔に一体的に突出した少なくとも２つの弧状リム部にそれぞれ形成された弧状当接端面として構成されてもい。
【００１０】
本発明の別の局面にあっては、環状形枠本体については、適当な合成樹脂材料から形成されかつレンズの直径よりも大きな外径を持つ環状ディスク板部材として構成され、レンズ保持アーム手段は環状ディスク板部材の一方の端面側からその中心軸線に対して平行に一体的に延在させられる。この場合には、位置決め当接手段が環状ディスク板部材の該一方の端面側にその周囲に沿って形成された環状当接端面として構成されてもよいし、或いは該周囲に沿って等間隔に形成された少なくとも２つの弧状当接端面として構成されてもよい。
【００１１】
【発明の実施の形態】
次に、添付図面を参照して、本発明によるレンズ保持枠の実施形態について説明する。
【００１２】
先ず、図１ないし図４を参照すると、本発明によるレンズ保持枠の第１の実施形態が参照符号１０で全体的に示される。図１に示すように、本実施形態では、レンズ保持枠１０は単眼鏡或いは双眼鏡のレンズ鏡筒１２に適宜接続され、その観察光学系の対物レンズを保持するために使用される。図２は図１のII-II線に沿うレンズ保持枠１０の横断面図であり、図３は図２のIII-III線に沿うレンズ保持枠１０の一部縦断面図である。また、図４は図３と同様な一部縦断面図であって、参照符号Ｌで示す対物レンズをレンズ保持枠１０内に保持させた状態でしかも該レンズ保持枠１０をレンズ鏡筒１２に接続した状態で示す図である。なお、図４では、対物レンズＬは凸レンズ要素と凹レンズ要素との組合レンズとして構成されるが、勿論単レンズとして構成されるものであってもよい。
【００１３】
第１の実施形態では、レンズ保持枠１０はスリーブ状部材として形成された環状形枠本体１４から成り、この環状形枠本体即ちスリーブ状部材１４は所定のモールド型を用いて適当な合成樹脂材料例えばＡＢＳ樹脂材料から一体成形品として構成される。スリーブ状部材１４の内径は保持されるべきレンズＬの直径に実質的に等しく、このためスリーブ状部材１４内にはレンズＬが収容され得る。
なお、レンズＬは円形以外の長方形などの形状でもよいが、加工の容易性や光学精度の点から、本実施形態のような円形状のレンズが好ましい。
【００１４】
本実施形態では、スリーブ状部材１４の一方の端面側では、その内周壁面からその周囲に沿って一体的に突出した環状リム部１６が形成され、この環状リム部１６の一方の側面はレンズＬの保持位置を規定するための環状当接端面１７として機能する。即ち、環状リム部１６はレンズＬの直径に実質的に等しい円の内側周囲に沿って延び、スリーブ状部材１４にレンズＬが収容されたとき、該レンズＬの周囲縁部が環状リム部１６の環状当接端面１７に当接し、これによりレンズＬの保持位置が規定される。
【００１５】
また、スリーブ状部材１４にはその周囲壁部中に３つのレンズ保持アーム手段１８が一体成形され、これら３つのレンズ保持アーム手段１８はスリーブ状部材１４の周囲に等間隔に配置される。即ち、所定のモールド型によるスリーブ状部材１４の一体成形については、その周囲壁部に恰も開口２０が刳り抜かれてそこにレンズ保持アーム手段１８が形成されるように行われる。上述したように、スリーブ状部材１４の内径はレンズＬの外径に実質的に等しく、かくして３つのレンズ保持アーム手段１８はレンズＬと実質的に同じ直径を持つ円に外接するように配置される。
【００１６】
図示するように、各レンズ保持アーム手段１８はスリーブ状部材１４の周囲壁部から片持ち梁の態様で支持される。本実施形態では、各レンズ保持アーム手段１８はスリーブ状部材１４の中心軸線に対して平行にその周囲壁部から一体的に延びる第１のアーム部１８ａと、この第１のアーム部１８ａから上述した円の円弧に沿って一体的に延びる第２のアーム部１８ｂとから成る。即ち、第２のアーム部１８ｂは第１のアーム部１８ａに対して直角に曲げられる。かくして、第１及び第２のアーム部１８ａ及び１８ｂは比較的狭い領域内に配置されているにも拘わらず、その双方のアーム部１８ａ及び１８ｂの全長は比較的長くなるので、各レンズ保持アーム手段１８には適当な弾性を付与することができる。要するに、スリーブ状部材１４が比較的硬質な合成樹脂材料から形成されたとしても、各レンズ保持アーム手段１８には適当な弾性が付与されることになる。
【００１７】
各レンズ保持アーム手段１８の第２のアーム部１８ｂには突起部１８ｃが一体的に成形され、この突起部１８ｃは上述した円の内側に侵入するように突出させられる。環状リム部１６の環状当接端面１７と突起部１８ｃとの間のスペースにはレンズＬの周囲縁部を受け入れ得るような寸法形状が与えられる。また、各突起部１８ｃにはテーパ面１８ｄが形成され、これら３つのテーパ面１８ｄは、図２から明らかなように、スリーブ状部材１４の中心軸線と共軸となった円錐面であって、環状当接端面１７側に向かって狭窄する円錐面の一部を成す。なお、図３では、第２のアーム部１８ｂが断面で図示される箇所に突起部１８ｃ及びテーパ面１８ｄが想像線（二点鎖線）で示されている。
【００１８】
かくして、レンズＬの周囲縁部を３つのテーパ面１８ｄに係合させた状態で該レンズＬを環状当接端面１７側に向かって押し込むと、３つのレンズ保持アーム手段１８は半径方向外側に弾性的に押し広げられて、該レンズＬの周囲縁部が突起部１８ｃを乗り越え得ることとなる。レンズＬの周囲縁部が突起部１８ｃを乗り越えると、レンズＬの押込み方向前方側の周囲縁部は環状当接端面１７と当接すると共にその押込み方向後方側の周囲縁部には第１のアーム部１８ａ及び第2のアーム部１８ｂの弾性変形のために突起部１８ｃが弾性的に押し付けられ、かくしてレンズＬは図４に示すようにレンズ保持枠１０内の所定の保持位置で保持されることになる。
【００１９】
レンズ鏡筒１２は適当な金属材料例えばアルミニウムから形成され、単眼鏡或いは双眼鏡の観察光学系の一部が収容される。レンズ鏡筒１２に対するレンズ保持枠１０の接続のために、スリーブ状部材１４の端面、即ち環状リム部１６に隣接した側の端面には環状接続部２２が形成され、一方レンズ鏡筒１２の該当端面には環状接続部２２に嵌合するようになった環状嵌合部２４が形成される。環状接続部２２に環状嵌合部２４を嵌入させる際には適当な接着剤が用いられ、これによりレンズ保持枠１０はレンズ鏡筒１２に対して固着される。レンズ保持枠１０へのレンズＬの組付についてはレンズ保持枠１０にレンズ鏡筒１２の接続させる前でも後でもよい。
【００２０】
勿論、レンズ鏡筒１２自体も適当な合成樹脂材料から形成され得る。もしレンズ保持枠１０と同じ合成樹脂材料からレンズ鏡筒１２を形成する場合には、レンズ保持枠１０をレンズ鏡筒１２と共に一体成形してもよい。
【００２１】
なお、図１及び図４において、参照符号２６はレンズ鏡筒１２の周囲に形成されたヘリコイドねじであり、このヘリコイドねじ２６はレンズ鏡筒１２が単眼鏡或いは双眼鏡に組み込まれたとき、レンズ鏡筒１２を合焦のために移動させるために使用されるものである。
【００２２】
上述の実施形態においては、スリーブ状部材１４には３つのレンズ保持アーム手段１８が設けられているが、２つのレンズ保持アーム手段１８を直径方向に配置してもよく、或いは３つ以上のレンズ保持アーム手段例えば４つのレンズ保持アーム手段が90°の角度で等間隔に配置することもできる。
【００２３】
図５を参照すると、上述した実施形態の変形実施形態が示される。なお、図５では、上述した第２の実施形態と同様な構成要素については同じ参照符号が用いられる。上述した実施形態では、レンズＬの保持位置を規定するための位置決め当接手段として環状リム部１６が設けられているが、図５に示す変形実施形態では、環状リム部１６の代わりに、適当な数例えば３つの弧状リム部１６′を120°の角度間隔で設ける。このような３つの弧状リム部１６′の側面は弧状当接端面１７′として機能し、これら弧状当接端面１７′によっても、レンズＬは所定の保持位置で位置決めされることになる。
【００２４】
図６を参照すると、本発明によるレンズ保持枠の第２の実施形態が示される。なお、図６でも、上述した第１の実施形態と同様な構成要素については同じ参照符号が用いられる。第２の実施形態では、レンズ保持枠はレンズ鏡筒２８の中間部に一体的に組み込まれる。即ち、レンズ鏡筒２８は適当な合成樹脂材料例えばＡＢＳ樹脂材料から適当なモールド型により一体成形され、このときレンズ鏡筒２８の内壁面には環状リム部１６が形成され、この環状リム部１６の側面によって環状当接端面１７が提供される。また、レンズ鏡筒２８の周囲壁面中には環状当接端面１７と協働するようになったレンズ保持アーム手段１８が形成される。レンズ保持アーム１８自体は第１の実施形態の場合と同様に形成され、レンズ鏡筒２８内に設けられる適当な光学系の一部を成すレンズを保持するために使用される。
【００２５】
図６に示す第２の実施形態では、レンズをレンズ保持枠内に装着する際には、先ず、該レンズがレンズ鏡筒２８内に投入されて、その周囲縁部がレンズ保持アーム手段１８のテーパ面１８ｃに係合させられ、次いでレンズが適当な用具でもって環状リム１６側に向かって押し込まれると、上述した第１の実施形態の場合同様に、レンズはレンズ保持枠の所定の保持位置で保持されることになる。
【００２６】
図７及び図８を参照すると、本発明によるレンズ保持枠の第３の実施形態が示される。なお、図７及び図８でも、上述した第１の実施形態と同様な構成要素については同じ参照符号が用いられる。第１の実施形態では、環状形枠本体１４はスリーブ状部材として形成されるが、第３の実施形態では、環状形枠本体１４は環状ディスク板部材として形成される。
【００２７】
環状形枠本体即ち環状ディスク板部材１４には保持されるべきレンズＬの直径よりも大きな外径が与えられ、環状ディスク板部材１４の一方の端面側にはその周囲に沿って環状当接端面１７″が形成される。環状当接端面１７″はレンズＬの保持位置を規定するための位置決め当接手段を構成し、環状当接端面１７″はレンズＬの直径に実質的に等しい円の内側周囲に沿って延びる。
【００２８】
第３の本実施形態では、環状ディスク板部材１４の一方の端面側、即ち環状当接端面１７″が形成された端面側からは、３つのレンズ保持アーム手段１８がその中心軸線に対して平行に一体的に延在させられ、しかもレンズＬと実質的に同じ直径を持つ円に外接するように等間隔に配置される。各レンズ保持アーム手段１８自体は第１の実施形態の場合と同様な構成とされる。要するに、第３の実施形態は、第１の実施形態においてスリーブ状部材１４から周囲壁部を排除したものに対応した構成となる。このような第３の実施形態においても、レンズＬは第１の場合と同様な態様でレンズ保持枠１０に装着され得る。なお、第１の実施形態について説明した変更例及び改変例は第３の実施形態の場合についても適用し得ることが理解されるべきである。
【００２９】
先に述べたように、上述した実施形態では、レンズ保持アーム手段１８の全長を長くしてそこに適当な弾性を付与するために、レンズ保持アーム手段１８のアーム部は直角形状に曲げられて第１及び第２のアーム部１８ａ及び１８ｂとされているが、レンズ保持アーム手段の全長を長くするためにそのアーム部をその他の適当な形状に変形し得ることが理解されるべきである。一方、もしレンズ保持枠自体１０が比較的軟質の合成樹脂材料から一体成形され、かつレンズ保持アーム手段１８のアーム部が真っ直ぐな場合であっても該アーム部に適当な弾性が付与し得るならば、レンズ保持アーム手段１８のアーム部についてはわざわざ変形させる必要はない。
【００３０】
【発明の効果】
以上の記載から明らかなように、本発明によるレンズ保持枠においては、レンズの装着については該レンズをレンズ保持アーム手段のテーパ面に適用して位置決め当接手段に向かって押し込むだけ達成し得るので、レンズの組付作業時間を大巾に短縮化し得るという効果が得られる。また、本発明によるレンズ保持枠は一体成形品の一部品として製造されるので、その製造コストも低く抑え得るとう効果も得られる。
【図面の簡単な説明】
【図１】本発明によるレンズ保持枠の第１の実施形態を示す平面図であって、該レンズ保持枠をレンズ鏡筒に接続させた状態で示す図である。
【図２】図１のII-II線に沿うレンズ保持枠の横断面図である。
【図３】図２のIII-III線に沿うレンズ保持枠の一部縦断面図である。
【図４】図３と同様な一部縦断面図であって、対物レンズをレンズ保持枠に保持させた状態でしかも該レンズ保持枠をレンズ鏡筒に接続した状態で示す図である。
【図５】図２に対応した断面図であって、本発明の第１の実施形態の変形実施形態を示す図である。
【図６】図３に対応した一部縦断面図であって、本発明によるレンズ保持枠の第２の実施形態を示す図である。
【図７】図２に対応した断面図であって、本発明によるレンズ保持枠の第３の実施形態を示す図である。
【図８】図７のVIII-VIII線に沿う一部縦断面図である。
【符号の説明】
１０  レンズ保持枠
１２  レンズ鏡筒
１４  環状形枠本体（スリーブ状部材、環状ディスク板部材）
１６  環状リム部
１６′  弧状リム部
１７″  環状当接端面
１８  レンズ保持アーム手段
２０  開口
２２  環状接続部
２４  環状嵌合部
【図１】
0003650605.tif 000002
【図２】
0003650605.tif 000003
【図３】
0003650605.tif 000004
【図４】
0003650605.tif 000005
【図５】
0003650605.tif 000006
【図６】
0003650605.tif 000007
【図７】
0003650605.tif 000008
【図８】
0003650605.tif 000009